(57)【要約】【課題】手間と時間を掛けることなくサーフェスモデルの板厚方向をユーザーの意図する方向に定められるようにする。【解決手段】板金製品の作図支援装置は、板金製品の作図過程で、各部品のサーフェスモデルに対する垂直方向の一方側と他方側とのうち、サーフェスモデルの形状に応じて定まる方向を板厚方向として厚みを持たせることにより、ソリッドモデルへの変換を行う。同装置は、サーフェスモデルに厚みを持たせる板厚方向（固有板厚方向）がユーザーの意図する方向であることが確認されたとき、確認された板厚方向に関する情報をサーフェスモデルから変換されたソリッドモデルにおける板厚方向の違いに応じて生じる体積の大小と関連付けて記憶する。同装置は、サーフェスモデルの板厚方向に関する情報として上記体積が大であるか或いは小であるかが記憶されているときには、その情報に応じた板厚方向にサーフェスモデルに対し厚みを持たせる。【選択図】図６
2019016196.tif 000002
【特許請求の範囲】
【請求項１】
板金製品の作図過程で、同板金製品における各部品のサーフェスモデルに対する垂直方向の一方側と他方側とのうち、そのサーフェスモデルの形状に応じて定まる方向を同サーフェスモデルの板厚方向として厚みを持たせることにより、前記サーフェスモデルをソリッドモデルに変換する板金製品の作図支援装置において、
前記サーフェスモデルの厚みを持たせる板厚方向がユーザーの意図する方向であることが確認されたとき、その確認された板厚方向が同サーフェスモデルに対する垂直方向の一方側か或いは他方側かに関する情報を、そのサーフェスモデルから変換されたソリッドモデルにおける前記板厚方向の違いに応じて生じる同ソリッドモデルの体積の大小と関連付けて記憶する記憶部と、
前記サーフェスモデルをソリッドモデルに変換する際、そのサーフェスモデルの板厚方向に関する情報として前記体積が大であるか或いは小であるかが前記記憶部に記憶されているときには、その記憶された前記体積の大小に応じた板厚方向に前記サーフェスモデルに対し厚みを持たせることにより、そのサーフェスモデルのソリッドモデルへの変換を行う変換部と、
を備えることを特徴とする板金製品の作図支援装置。
【請求項２】
板金製品を作図するに当たり、同板金製品における各部品のサーフェスモデルに対する垂直方向の一方側と他方側とのうち、そのサーフェスモデルの形状に応じて定まる方向を同サーフェスモデルの板厚方向として厚みを持たせることにより、前記サーフェスモデルをソリッドモデルに変換する板金製品の作図支援方法において、
前記サーフェスモデルに厚みを持たせる際の板厚方向がユーザーの意図する方向であることを確認する確認工程と、
前記確認工程で前記サーフェスモデルの板厚方向がユーザーの意図する方向であることが確認されたとき、その確認された板厚方向が同サーフェスモデルに対する垂直方向の一方側か或いは他方側かに関する情報を、同サーフェスモデルから変換されたソリッドモデルにおける前記板厚方向の違いに応じて生じる同ソリッドモデルの体積の大小と関連付けて記憶部に記憶する記憶工程と、
前記サーフェスモデルをソリッドモデルに変換する際、そのサーフェスモデルの板厚方向に関する情報として前記体積が大であるか或いは小であるかが前記記憶部に記憶されているときには、その記憶された前記体積の大小に応じた板厚方向に前記サーフェスモデルに対し厚みを持たせることにより、そのサーフェスモデルのソリッドモデルへの変換を行う変換工程と、
を有する板金製品の作図支援方法。
【請求項３】
板金製品を作図する際に動作され、同板金製品における各部品のサーフェスモデルに対する垂直方向の一方側と他方側とのうち、そのサーフェスモデルの形状に応じて定まる方向を同サーフェスモデルの板厚方向として厚みを持たせることにより、前記サーフェスモデルをソリッドモデルに変換する板金製品の作図支援プログラムにおいて、
前記サーフェスモデルに厚みを持たせる際の板厚方向がユーザーの意図する方向であることを確認する確認処理と、
前記確認処理を通じて前記サーフェスモデルの板厚方向がユーザーの意図する方向であることが確認されたとき、その確認された板厚方向が同サーフェスモデルに対する垂直方向の一方側か或いは他方側かに関する情報を、同サーフェスモデルから変換されたソリッドモデルにおける前記板厚方向の違いに応じて生じる同ソリッドモデルの体積の大小と関連付けて記憶部に記憶する記憶処理と、
前記サーフェスモデルをソリッドモデルに変換する際、そのサーフェスモデルの板厚方向に関する情報として前記体積が大であるか或いは小であるかが前記記憶部に記憶されているときには、その記憶された前記体積の大小に応じた板厚方向に前記サーフェスモデルに対し厚みを持たせることにより、そのサーフェスモデルのソリッドモデルへの変換を行う変換処理と、
を実行することを特徴とする板金製品の作図支援プログラム。
【発明の詳細な説明】
【技術分野】
【０００１】
本発明は、板金製品の作図支援装置、作図支援方法、及び作図支援プログラムに関する。
【背景技術】
【０００２】
自動車等に設けられる板金製品においては、その開発の際に作図支援装置を用いて作図が行われる。そして、板金製品の作図支援装置では、特許文献１に示されるように、作図過程で同板金製品における各部品のサーフェスモデルに対し厚みを持たせることにより、そのサーフェスモデルをソリッドモデルに変換することが行われる。
【０００３】
なお、板金製品を作図するに当たって用いられる上記サーフェスモデル及び上記ソリッドモデルのうち、サーフェスモデルとは板金製品の各部品を面で表現したものであり、上記ソリッドモデルとは板金製品の各部品を立体的に表現したものである。
【０００４】
上述したサーフェスモデルからソリッドモデルへの変換は、例えば次のように行うことが考えられる。すなわち、サーフェスモデルに対する垂直方向の一方側と他方側とのうち、そのサーフェスモデルの形状に応じて定まる方向（以下、固有板厚方向という）を同サーフェスモデルの板厚方向として厚みを持たせることにより、上記サーフェスモデルをソリッドモデルに変換することが行われる。
【先行技術文献】
【特許文献】
【０００５】
【特許文献１】特開平１１−１７５５７５号公報
【発明の概要】
【発明が解決しようとする課題】
【０００６】
ところで、板金製品を開発する過程において、板金製品を構成する部品の設計変更等に伴って同部品のサーフェスモデルの形状が変わったり、サーフェスモデル同士の接合による一体化に伴いサーフェスモデルの形状が変わったりすると、サーフェスモデルの固有板厚方向が反転してしまうおそれがある。このようにサーフェスモデルの固有板厚方向が反転した状態のもとで、同サーフェスモデルに厚みを持たせてソリッドモデルに変換すると、その厚みがユーザーの意図した方向につけられていないことから、板金製品の開発における後の工程で問題が生じる。
【０００７】
このため、板金製品における各部品のサーフェスモデルをソリッドモデルに変換する際には、サーフェスモデルに対し厚みを持たせる際の板厚方向（固有板厚方向）が意図する方向となっているか否かをユーザーが目視で確認することが行われる。そして、上述した固有板厚方向の反転等によってサーフェスモデルの板厚方向がユーザーの意図する方向と異なっている場合には、ユーザーがサーフェスモデルの板厚方向を手作業で修正するようにしている。しかし、こうした板厚方向の目視による確認及び手作業による修正を、板金製品の開発が進む度に繰り返し行わなければならず、そのために要する手間と時間が無視できない問題となっている。
【０００８】
本発明の目的は、手間と時間を掛けることなくサーフェスモデルの板厚方向をユーザーの意図する方向に定めることができる板金製品の作図支援装置、作図支援方法、及び作図支援プログラムを提供することにある。
【課題を解決するための手段】
【０００９】
以下、上記課題を解決するための手段及びその作用効果について記載する。
上記課題を解決する板金製品の作図支援装置は、板金製品の作図過程で、同板金製品における各部品のサーフェスモデルに対する垂直方向の一方側と他方側とのうち、そのサーフェスモデルの形状に応じて定まる方向（以下、固有板厚方向という）を同サーフェスモデルの板厚方向として厚みを持たせることにより、上記サーフェスモデルをソリッドモデルに変換する。同装置は、サーフェスモデルの厚みを持たせる板厚方向がユーザーの意図する方向であることが確認されたとき、その確認された板厚方向が同サーフェスモデルに対する垂直方向の一方側か或いは他方側かに関する情報を、そのサーフェスモデルから変換されたソリッドモデルにおける板厚方向の違いに応じて生じる同ソリッドモデルの体積の大小と関連付けて記憶する記憶部を備える。更に、同装置は、サーフェスモデルをソリッドモデルに変換する際、そのサーフェスモデルの板厚方向に関する情報として上記体積が大であるか或いは小であるかが上記記憶部に記憶されているときには、その記憶された上記体積の大小に応じた板厚方向に上記サーフェスモデルに対し厚みを持たせることにより、そのサーフェスモデルのソリッドモデルへの変換を行う変換部を備える。
【００１０】
上記構成によれば、板金製品の開発において、最初に板金製品における各部品のサーフェスモデルをソリッドモデルに変換するとき、そのサーフェスモデルに厚みを持たせる際の板厚方向（固有板厚方向）がユーザーの意図する方向であることが確認されると、その確認された板厚方向に関する情報が次のように記憶部に記憶される。すなわち、上記確認された板厚方向がサーフェスモデルに対する垂直方向の一方側か或いは他方側かに関する情報が、そのサーフェスモデルから変換されたソリッドモデルにおける板厚方向の違いに応じて生じる体積の大小と関連付けて記憶部に記憶される。そして、サーフェスモデルをソリッドモデルに変換する際、そのサーフェスモデルの板厚方向に関する情報として上記体積が大であるか或いは小であるかが上記記憶部に記憶されているときには、その記憶された上記体積の大小に応じた板厚方向に上記サーフェスモデルに対し厚みを持たせることが行われる。従って、所定のサーフェスモデルに対し厚みを持たせる際の板厚方向（固有板厚方向）がユーザーの意図した方向であることが確認されると、それ以後は上記サーフェスモデルに対し変換部によってユーザーの意図する板厚方向に自動的に厚みが持たされてソリッドモデルへの変換が行われる。このため、板金製品を開発する過程において、サーフェスモデルの固有板厚方向が反転したとしても、そのサーフェスモデルをソリッドモデルに変換する際、同サーフェスモデルに対し上述したように自動的に厚みが持たされることにより、その厚みを持たせる方向を手間と時間をかけることなくユーザーの意図する方向とすることができる。
【００１１】
上記課題を解決する板金製品の作図支援方法では、板金製品を作図するに当たり、同板金製品における各部品のサーフェスモデルに対する垂直方向の一方側と他方側とのうち、そのサーフェスモデルの形状に応じて定まる方向（固有板厚方向）を同サーフェスモデルの板厚方向として厚みを持たせることにより、上記サーフェスモデルをソリッドモデルに変換する。同方法では、サーフェスモデルの厚みを持たせる際の板厚方向がユーザーの意図する方向であることを確認する確認工程が行われる。そして、確認工程でサーフェスモデルの板厚方向がユーザーの意図する方向であることが確認されたとき、その確認された板厚方向が同サーフェスモデルに対する垂直方向の一方側か或いは他方側かに関する情報を、同サーフェスモデルから変換されたソリッドモデルにおける板厚方向の違いに応じて生じる同ソリッドモデルの体積の大小と関連付けて記憶部に記憶する記憶工程が行われる。更に、サーフェスモデルをソリッドモデルに変換する際、そのサーフェスモデルの板厚方向に関する情報として上記体積が大であるか或いは小であるかが上記記憶部に記憶されているときには、その記憶された上記体積の大小に応じた板厚方向に上記サーフェスモデルに対し厚みを持たせることにより、そのサーフェスモデルのソリッドモデルへの変換を行う変換工程が行われる。
【００１２】
上記方法によれば、板金製品の開発において、最初に板金製品における各部品のサーフェスモデルをソリッドモデルに変換するとき、確認工程を通じて、サーフェスモデルに厚みを持たせる際の板厚方向（固有板厚方向）がユーザーの意図する方向であることが確認されると、その確認された板厚方向に関する情報が記憶工程を通じて次のように記憶部に記憶される。すなわち、上記確認された板厚方向がサーフェスモデルに対する垂直方向の一方側か或いは他方側かに関する情報が、そのサーフェスモデルから変換されたソリッドモデルにおける板厚方向の違いに応じて生じる体積の大小と関連付けて記憶部に記憶される。そして、サーフェスモデルを変換工程を通じてソリッドモデルに変換する際、そのサーフェスモデルの板厚方向に関する情報として上記体積が大であるか或いは小であるかが上記記憶部に記憶されているときには、その記憶された上記体積の大小に応じた板厚方向に上記サーフェスモデルに対し厚みを持たせることが行われる。従って、所定のサーフェスモデルに対し厚みを持たせる際の板厚方向（固有板厚方向）がユーザーの意図した方向であることが確認されると、それ以後は上記サーフェスモデルに対し変換部によってユーザーの意図する板厚方向に自動的に厚みが持たされてソリッドモデルへの変換が行われる。このため、板金製品を開発する過程において、サーフェスモデルの固有板厚方向が反転したとしても、そのサーフェスモデルをソリッドモデルに変換する際、同サーフェスモデルに対し上述したように自動的に厚みが持たされることにより、その厚みを持たせる方向を手間と時間をかけることなくユーザーの意図する方向とすることができる。
【００１３】
上記課題を解決する板金製品の作図支援プログラムは、板金製品を作図する際に動作され、同板金製品における各部品のサーフェスモデルに対する垂直方向の一方側と他方側とのうち、そのサーフェスモデルの形状に応じて定まる方向を同サーフェスモデルの板厚方向として厚みを持たせることにより、上記サーフェスモデルをソリッドモデルに変換する。同プログラムは、サーフェスモデルの板厚方向がユーザーの意図する方向であることを確認する確認処理を実行する。そして、同プログラムは、確認処理を通じてサーフェスモデルの板厚方向がユーザーの意図する方向であることが確認されたとき、その確認された板厚方向が同サーフェスモデルに対する垂直方向の一方側か或いは他方側かに関する情報を、そのサーフェスモデルから変換されたソリッドモデルにおける前記板厚方向の違いに応じて生じる同ソリッドモデルの体積の大小と関連付けて記憶部に記憶する記憶処理を実行する。更に、同プログラムは、サーフェスモデルをソリッドモデルに変換する際、そのサーフェスモデルの板厚方向に関する情報として上記体積が大であるか或いは小であるかが上記記憶部に記憶されているときには、その記憶された上記体積の大小に応じた板厚方向に上記サーフェスモデルに対し厚みを持たせることにより、そのサーフェスモデルのソリッドモデルへの変換を行う変換処理を実行する。
【００１４】
上記プログラムによれば、板金製品の開発において、最初に板金製品における各部品のサーフェスモデルをソリッドモデルに変換する際、確認処理を通じて上記サーフェスモデルに厚みを持たせる際の板厚方向（固有板厚方向）がユーザーの意図する方向であることが確認されると、記憶処理を通じて、その確認された板厚方向に関する情報が次のように記憶部に記憶される。すなわち、上記確認された板厚方向がサーフェスモデルに対する垂直方向の一方側か或いは他方側かに関する情報が、そのサーフェスモデルから変換されたソリッドモデルにおける板厚方向の違いに応じて生じる体積の大小と関連付けて記憶部に記憶される。そして、サーフェスモデルを変換処理を通じてソリッドモデルに変換する際、そのサーフェスモデルの板厚方向に関する情報として上記体積が大であるか或いは小であるかが上記記憶部に記憶されているときには、その記憶された上記体積の大小に応じた板厚方向に上記サーフェスモデルに対し厚みを持たせることが行われる。従って、所定のサーフェスモデルに対し厚みを持たせる際の板厚方向がユーザーの意図した方向であることが確認されると、それ以後は上記サーフェスモデルに対し変換部によってユーザーの意図する板厚方向に自動的に厚みが持たされてソリッドモデルへの変換が行われる。このため、板金製品を開発する過程において、サーフェスモデルの固有板厚方向が反転したとしても、そのサーフェスモデルをソリッドモデルに変換する際、同サーフェスモデルに対し上述したように自動的に厚みが持たされることにより、その厚みを持たせる方向を手間と時間をかけることなくユーザーの意図する方向とすることができる。
【発明の効果】
【００１５】
本発明によれば、手間と時間を掛けることなくサーフェスモデルの板厚方向をユーザーの意図する方向に定めることができる。
【図面の簡単な説明】
【００１６】
【図１】板金製品の作図支援装置を示すブロック図。
【図２】板金製品を構成する部品のサーフェスモデルを示す斜視図。
【図３】板金製品を構成する部品のサーフェスモデルを示す斜視図。
【図４】板金製品を構成する部品のサーフェスモデルを示す斜視図。
【図５】サーフェスモデルの固有板厚方向に関する情報の記憶態様を示す説明図。
【図６】作図支援プログラムにおける各種処理の実行手順を示すフローチャート。
【発明を実施するための形態】
【００１７】
以下、板金製品の作図支援装置、作図支援方法、及び作図支援プログラムの一実施形態について、図１〜図６を参照して説明する。
図１に示すように、板金製品の作図支援装置１は、その板金製品を開発するに当たり、同板金製品を作図するための作図支援プログラムを実行するコンピュータ２を備えている。このコンピュータ２には、ユーザーにより操作されるキーボード及びマウスといった操作機器３、及び、作図支援プログラムを通じて作図された板金製品の三次元モデルを表示するディスプレイ等の表示機器４が接続されている。作図支援装置１のユーザーは、コンピュータ２によって作図支援プログラムが動作されている状態のもと、表示機器４に表示された三次元モデルを見ながら操作機器３による操作を通じて板金製品の作図を行う。
【００１８】
作図支援装置１を用いた板金製品の作図過程では、その板金製品の各部品を面で表現したサーフェスモデルを作成し、そのサーフェスモデルに対し厚みを持たせることにより、同サーフェスモデルを板金製品の各部品を立体的に表現したソリッドモデルに変換することが行われる。詳しくは、サーフェスモデルに対する垂直方向の一方側と他方側とのうち、そのサーフェスモデルの形状に応じて定まる方向（以下、固有板厚方向という）を同サーフェスモデルの板厚方向として厚みを持たせることにより、上記サーフェスモデルをソリッドモデルに変換することが行われる。ちなみに、こうしたサーフェスモデルからソリッドモデルへの変換は、作図支援装置１のコンピュータ２による上記作図支援プログラムを通じて行われる。
【００１９】
図２及び図３は、板金製品における各部品のサーフェスモデル及びその固有板厚方向の例を示している。図２に示すサーフェスモデル５の固有板厚方向は、同サーフェスモデル５に対する垂直方向の一方側と他方側とのうち、図２に矢印Ｙ１で示す方向となっている。また、図３に示すサーフェスモデル６の固有板厚方向は、同サーフェスモデル６に対する垂直方向の一方側と他方側とのうち、図３に矢印Ｙ２で示す方向となっている。ところで、サーフェスモデルの固有板厚方向については、板金製品を開発する過程において、設計変更等に伴って同板金製品を構成する各部品のサーフェスモデルの形状が変わったり、サーフェスモデル同士の接合による一体化に伴いサーフェスモデルの形状が変わったりして、反転してしまうおそれがある。
【００２０】
図４は、図２のサーフェスモデル５に対し図３のサーフェスモデル６を接合して得られたサーフェスモデル７を示している。このサーフェスモデル７における本来の固有板厚方向は、サーフェスモデル５の固有板厚方向と同じ方向、すなわち矢印Ｙ１で示す方向であるが、上述した接合に伴いサーフェスモデル６の形状の影響を受けて固有板厚方向が矢印Ｙ２方向に反転してしまうおそれがある。また、図２及び図３のサーフェスモデル５，６についても、板金製品の開発過程での設計変更に伴って形状が変わると、固有板厚方向が反転してしまうおそれがある。
【００２１】
サーフェスモデルの固有板厚方向が反転した状態のもとで、同サーフェスモデルに対しその固有板厚方向に厚みを持たせてソリッドモデルに変換すると、その厚みがユーザーの意図した方向につけられていないことから、板金製品の開発における後の工程で問題が生じる。このことに対処するため、サーフェスモデルをソリッドモデルに変換する際、サーフェスモデルに対し厚みを持たせる際の板厚方向（固有板厚方向）が意図する方向となっているか否かをユーザーが目視で確認し、ユーザーの意図する方向と異なっている場合には手作業で修正することが考えられる。
【００２２】
しかし、板金製品の開発が進む度に、こうした板厚方向の目視による確認、及び、手作業による修正を繰り返し行わなければならず、そのために多大な手間と時間が必要になるという問題がある。そこで、この実施形態では、上述した問題に対処するため、次の［確認工程］、［記憶工程］、及び［変換工程］を有する作図支援方法が用いられる。
【００２３】
［確認工程］
この工程では、板金製品の開発において、最初にサーフェスモデルがソリッドモデルに変換される際、そのサーフェスモデルに対し厚みを持たせる方向である板厚方向（固有板厚方向）がユーザーの意図する方向であるか否かが判断される。詳しくは、サーフェスモデルの固有板厚方向がユーザーの意図する方向であれば、ユーザーが上記サーフェスモデルに対し固有板厚方向に厚みを持たせることを許可し、それによって上記サーフェスモデルの固有板厚方向がユーザーの意図する方向であることが確認された状態となる。一方、サーフェスモデルの固有板厚方向がユーザーの意図する方向でなければ、ユーザーは、上記固有板厚方向を手作業で反転させた後、上記サーフェスモデルに対し固有板厚方向に厚みを持たせることを許可する。これにより、上記サーフェスモデルの固有板厚方向がユーザーの意図する方向となっていることが確認された状態となる。なお、こうした確認については、板金製品における各部品のサーフェスモデルすべてに対し、それぞれ行われるようになる。
【００２４】
［記憶工程］
この工程では、上記確認工程におけるユーザーによる確認後のサーフェスモデルの固有板厚方向が同サーフェスモデルに対する垂直方向の一方側か或いは他方側かに関する情報を、そのサーフェスモデルから変換されたソリッドモデルにおける上記固有板厚方向の違いに応じて生じる体積の大小と関連付けて記憶される。詳しくは、板金製品の開発において、最初にサーフェスモデルの固有板厚方向がユーザーの意図する方向であることが確認されたとき、その固有板厚方向がソリッドモデルの体積を大とする方向であるときには、上記サーフェスモデルの固有板厚方向に関する情報として「体積大」という情報が図１に示すコンピュータ２の記憶部８に記憶される。一方、上記サーフェスモデルの固有板厚方向がソリッドモデルの体積を小とする方向であるときには、上記サーフェスモデルの固有板厚方向に関する情報として「体積小」という情報が上記記憶部８に記憶される。
【００２５】
図５に示すように、こうした情報の記憶については、板金製品における各部品のサーフェスモデル毎に行われる。なお、図５は、記憶部８に記憶された上記情報の記憶態様を示している。同図から分かるように、板金製品の各部品にはそれぞれ品番Ａ１，Ａ２，・・・・Ａｎがつけられており、各部品のサーフェスモデルの固有板厚方向に関する情報、すなわち「体積大」もしくは「体積小」という情報が、上記各部品の品番に対応して記憶される。
【００２６】
［変換工程］
この工程では、板金製品における各部品のサーフェスモデルをソリッドモデルに変換する際、それらサーフェスモデルの固有板厚方向に関する情報として、上記「体積大」という情報、もしくは上記「体積小」という情報が記憶部８に記憶されているか否かが判断される。そして、固有板厚方向に関する情報が記憶部８に記憶されていないときには、各部品のサーフェスモデルに対し、それぞれ上記確認工程でユーザーの意図する方向となっていることが確認された固有板厚方向に厚みを持たせることにより、上記各部品のサーフェスモデルのソリッドモデルへの変換が行われる。一方、固有板厚方向に関する情報が記憶部８に記憶されているときには、各部品のサーフェスモデルに対し、それぞれ記憶部８に記憶された上記情報に応じた板厚方向に厚みを持たせることにより、上記各部品のサーフェスモデルのソリッドモデルへの変換が行われる。詳しくは、板金製品における所定の部品について、同部品の品番に対応する固有板厚情報に関する情報として「体積大」という情報が記憶部８に記憶されているときには、上記部品のサーフェスモデルに対しソリッドモデルに変換したときの体積が大となる板厚方向に厚みを持たせることにより、同サーフェスモデルのソリッドモデルへの変換が行われる。一方、上記部品の品番に対応する固有板厚情報に関する情報として「体積小」という情報が記憶部８に記憶されているときには、上記部品のサーフェスモデルに対しソリッドモデルに変換したときの体積が小となる板厚方向に厚みを持たせることにより、同サーフェスモデルのソリッドモデルへの変換が行われる。
【００２７】
上述した板金製品の作図支援方法によれば、板金製品の開発において、最初に板金製品における各部品のサーフェスモデルの固有板厚方向がユーザーの意図した方向であることが確認されると、それ以後は上記サーフェスモデルに対しユーザーの意図する板厚方向に自動的に厚みが持たされてソリッドモデルへの変換が行われる。このため、板金製品を開発する過程において、サーフェスモデルの固有板厚方向が反転したとしても、そのサーフェスモデルをソリッドモデルに変換する際、同サーフェスモデルに対し上述したように自動的に厚みが持たされることにより、その厚みを持たせる方向が手間と時間をかけることなくユーザーの意図する方向とされる。
【００２８】
次に、上述した板金製品の作図支援方法を実現するため、コンピュータ２を通じて実行される作図支援プログラムについて説明する。この作図支援プログラムは、図１に示すコンピュータ２を通じて動作され、上述した作図支援方法における確認工程、記憶工程、及び変換工程を実現するための確認処理、記憶処理、及び変換処理といった各種処理を実行する。
【００２９】
図６は、上記作図支援プログラムにおける各種処理の実行手順を示すフローチャートである。同図に示される各種処理は、サーフェスモデルからソリッドモデルへの変換時に実行される。なお、こうしたサーフェスモデルからソリッドモデルへの変換は、板金製品の開発が進む度に繰り返し行われることとなる。
【００３０】
コンピュータ２は、図６のステップ１０１（Ｓ１０１）の処理として、板金製品における各部品のサーフェスモデルの固有板厚方向に関する情報、すなわち「体積大」もしくは「体積小」という情報が記憶部８に記憶されているか否かを判断する。そして、記憶部８に固有板厚方向に関する情報が記憶されていない場合、言い換えれば板金製品の開発において最初にサーフェスモデルがソリッドモデルに変換される際には、Ｓ１０２に進む。
【００３１】
このＳ１０２の処理は、上記確認工程を実現するための確認処理に相当し、ソリッドモデルへの変換のためにサーフェスモデルに板厚を持たせる際の板厚方向（固有板厚方向）がユーザーの意図する方向であることを確認するためのものである。
【００３２】
コンピュータ２は、Ｓ１０２の処理として、板金製品における各部品のサーフェスモデルを各々の固有板厚方向と共に作図支援装置１の表示機器４に表示させ、それらサーフェスモデルの固有板厚方向がユーザーの目視によって意図する方向であるか否かを判断できるようにする。ユーザーは、各部品のサーフェスモデルに対し、固有板厚方向が意図する方向であれば、操作機器３の操作を通じて上記固有板厚方向に厚みを持たせることを許可する。これにより、サーフェスモデルの固有板厚方向がユーザーの意図する方向であることが確認された状態となる。一方、固有板厚方向がユーザーの意図する方向でなければ、ユーザーは、操作機器３の操作を通じて上記固有板厚方向を手作業で反転させた後に同固有板厚方向に厚みを持たせることを許可する。これにより、サーフェスモデルの固有板厚方向がユーザーの意図する方向であることが確認された状態となる。なお、こうした確認については、板金製品における各部品のサーフェスモデルすべてに対し、それぞれ行われる。その後、Ｓ１０３に進む。
【００３３】
このＳ１０３の処理は、上記記憶工程を実現するための記憶処理に相当し、上記確認処理（Ｓ１０２）を通じてユーザーにより確認されたサーフェスモデルの固有板厚方向に関する情報を、そのサーフェスモデルから変換されたソリッドモデルにおける上記固有板厚方向の違いに応じて生じる体積の大小と関連付けて記憶するためのものである。
【００３４】
コンピュータ２は、Ｓ１０３の処理として、ユーザーによる確認後のサーフェスモデルの固有板厚方向がソリッドモデルの体積を大とする方向であれば、同サーフェスモデルの固有板厚方向に関する情報として「体積大」という情報を記憶部８に記憶する。一方、ユーザーによる確認後のサーフェスモデルの固有板厚方向がソリッドモデルの体積を小とする方向であれば、同サーフェスモデルの固有板厚方向に関する情報として「体積小」という情報を記憶部８に記憶する。こうした「体積大」もしくは「体積小」という情報の記憶については、板金製品における各部品のサーフェスモデル毎に行われる。その後、ステップＳ１０４に進む。
【００３５】
コンピュータ２は、Ｓ１０４の処理として、上記確認処理（Ｓ１０２）を通じてユーザーにより確認された板金製品における各部品のサーフェスモデルの固有板厚方向に応じて、それらサーフェスモデルに対し厚みを持たせることにより、各サーフェスモデルをソリッドモデルに変換する。
【００３６】
一方、Ｓ１０１において、板金製品における各部品のサーフェスモデルの固有板厚方向に関する情報、すなわち「体積大」もしくは「体積小」という情報が記憶部８に記憶されていると判断された場合には、Ｓ１０５に進む。
【００３７】
コンピュータ２は、Ｓ１０５の処理として、板金製品における各部品のサーフェスモデルに対し、それぞれ記憶部８に記憶された固有板厚方向に関する情報に応じた板厚方向に厚みを持たせることにより、上記各部品のサーフェスモデルをソリッドモデルに変換する。詳しくは、板金製品における所定の部品について、同部品の品番に対応する固有板厚情報に関する情報として「体積大」という情報が記憶部８に記憶されているときには、上記部品のサーフェスモデルに対しソリッドモデルに変換したときの体積が大となる板厚方向に厚みを持たせることにより、同サーフェスモデルをソリッドモデルに変換する。一方、上記部品の品番に対応する固有板厚情報に関する情報として「体積小」という情報が記憶部８に記憶されているときには、上記部品のサーフェスモデルに対しソリッドモデルに変換したときの体積が小となる板厚方向に厚みを持たせることにより、同サーフェスモデルをソリッドモデルに変換する。
【００３８】
なお、上述したＳ１０４及びＳ１０５の処理は、上記変換工程を実現するための変換処理に相当する。また、Ｓ１０５の処理を実行するときのコンピュータ２は、サーフェスモデルの固有板厚方向に関する情報が記憶部８に記憶されているとき、その記憶された情報に応じた板厚方向にサーフェスモデルに対し厚みを持たせることにより、そのサーフェスモデルのソリッドモデルへの変換を行う変換部として機能する。
【００３９】
以上詳述した本実施形態によれば、以下に示す作用効果を奏する。
（１）板金製品の開発において、最初に板金製品における各部品のサーフェスモデルをソリッドモデルに変換する際、そのサーフェスモデルの固有板厚方向がユーザーによって意図する方向であることが確認されると、その確認された固有板厚方向に関する情報が記憶処理を通じて次のように記憶部８に記憶される。すなわち、上記確認された固有板厚方向がサーフェスモデルに対する垂直方向の一方側か或いは他方側かに関する情報、すなわち「体積大」もしくは「体積小」という情報が記憶部８に記憶される。そして、サーフェスモデルをソリッドモデルに変換する際、そのサーフェスモデルの固有板厚方向に関する情報として「体積大」もしくは「体積小」という情報が記憶部８に記憶されているときには、その記憶された情報に応じた板厚方向に上記サーフェスモデルに対し厚みを持たせることが行われる。従って、所定のサーフェスモデルに対し固有板厚方向がユーザーの意図した方向であることが確認されると、それ以後は上記サーフェスモデルに対しコンピュータ２によってユーザーの意図する板厚方向に自動的に厚みが持たされてソリッドモデルへの変換が行われる。このため、板金製品を開発する過程において、サーフェスモデルの固有板厚方向が反転したとしても、そのサーフェスモデルをソリッドモデルに変換する際、同サーフェスモデルに対し上述したように自動的に厚みが持たされることにより、その厚みを持たせる方向を手間と時間をかけることなくユーザーの意図する方向とすることができる。
【符号の説明】
【００４０】
１…作図支援装置、２…コンピュータ、３…操作機器、４…表示機器、５…サーフェスモデル、６…サーフェスモデル、７…サーフェスモデル、８…記憶部。
【図１】
2019016196.tif 000003
【図２】
2019016196.tif 000004
【図３】
2019016196.tif 000005
【図４】
2019016196.tif 000006
【図５】
2019016196.tif 000007
【図６】
2019016196.tif 000008